(57)【要約】【課題】袋体Ｐから流動性食材Ｆを繰り出して直接食べたり食べさせたりするという操作を簡便に行うことを可能とする。【解決手段】本発明の流動性食材Ｆの供給器具１は、流動性食材Ｆが封入された袋体Ｐを載置可能な袋体載置面２を備えた支持体３と、袋体載置面２に載置した袋体Ｐから繰り出された流動性食材Ｆを受容する食材受部４と、が連続して設けられていることを特徴とする。好ましくは、食材受部４には、袋体Ｐから繰り出された流動性食材Ｆを食材受部４内に案内するガイド部８が設けられているのが良く、持体と食材受部４との間には袋体載置面２に載置された袋体Ｐが食材受部４側に移動することを規制するストッパ９が設けられているのが良い。【選択図】図１
2019122383.tif 000002
【特許請求の範囲】
【請求項１】
流動性食材が封入された袋体を載置可能な袋体載置面を備えた支持体と、
前記袋体載置面に載置した袋体から繰り出された流動性食材を受容する食材受部と、
が連続して設けられていることを特徴とする流動性食材の供給器具。
【請求項２】
前記食材受部には、前記袋体から繰り出された流動性食材を前記食材受部内に案内するガイド部が設けられている
ことを特徴とする請求項１に記載の流動性食材の供給器具。
【請求項３】
前記支持体と食材受部との間には、前記袋体載置面に載置された袋体が、前記食材受部側に移動することを規制するストッパが設けられている
ことを特徴とする請求項１または２に記載の流動性食材の供給器具。
【請求項４】
前記支持体には、前記流動性食材を食材受部に繰り出す繰出部材が設けられている
ことを特徴とする請求項１〜３のいずれかに記載の流動性食材の供給器具。
【請求項５】
前記繰出部材の下面には、前記支持体との間に前記袋体を挟持することで前記流動性食材を袋内から押し出す挟持片が設けられている
ことを特徴とする請求項４に記載の流動性食材の供給器具。
【請求項６】
前記繰出部材は、前記支持体の長手方向に沿って滑ることで、前記袋体を扱きつつ流動性食材を繰り出すスライダを有している
ことを特徴とする請求項４または５に記載の流動性食材の供給器具。
【請求項７】
前記繰出部材は、前記支持体の長手方向に沿って転がることで、前記袋体を扱きつつ流動性食材を繰り出すローラーを有している
ことを特徴とする請求項４または５に記載の流動性食材の供給器具。
【発明の詳細な説明】
【技術分野】
【０００１】
本発明は、ペースト状に加工した流動性食材を供給対象に食べさせる際に用いられる流動性食材の供給器具に関するものである。
【背景技術】
【０００２】
近年、猫などのペットが好む食材を、ペースト状に加工した流動性食材に対する注目が高まっている。これらの流動性食材はスティックタイプの長尺なレトルトパウチ（袋体）に収容された状態で提供されており、レトルトパウチの一端を破いて収容された流動性食材を繰り出す（絞り出す）ことでペットに対する給餌を行うことができるようになっている。
【０００３】
一方で、乳児の離乳食や要介護者向けの食材を食べやすいように流動状態に加工してレトルトパウチなどに収容して提供する場合もある。
例えば、特許文献１には、ペースト状の成分を含んだ流動性を有するペットフードが開示されている。この特許文献１のペットフードは、パウチ容器に詰められた状態で提供されるものであり、猫などのペットに給餌されることも記載されている。
【先行技術文献】
【特許文献】
【０００４】
【特許文献１】特開２０１４−０６８６５３号公報
【発明の概要】
【発明が解決しようとする課題】
【０００５】
ところで、特許文献１の流動性食材を猫などに与える場合、上述したようにパウチの一端を開封しておいて猫に向かって差し出し、開封部から繰り出された流動性食品を猫に直接嘗め取らせるようにする。
ただ、猫などのペットは人間のようにパウチを手で持って食べることはできないので、嘗め取り切れなかった流動性食材が床などに落ちて床などを汚してしまうといった問題が指摘されていた。
【０００６】
また、床などを汚さないように流動性食材を皿などに一時的に受けてからペットに与えることもできるが、皿などの後片付けが必要となってしまい、流動性食材をパウチに収容することの長所の一つである「給餌の手軽さ」や「後片付けが不要」という特徴を損なってしまう場合もあった。
さらに、上述した流動性食材は、人間向けにも使用され、乳幼児などへの離乳食や、手が不自由な被介護者などへの食事にも用いられる。これらの場合も、流動性食材をパウチに収容した際には、そもそも手先を上手く動かせない乳幼児や手が不自由な被介護者にパウチを扱いて流動性食材を繰り出すといった複雑な動作を強いることになり、流動性食材の食べこぼしの原因となるため、使い勝手が良くないといった問題も指摘されていた。
【０００７】
本発明は、上述の問題に鑑みてなされたものであり、簡単な操作で袋体から流動性食材を繰り出して直接食べたり食べさせたりすることができる流動性食材の供給器具を提供することを目的とする。
【課題を解決するための手段】
【０００８】
上記課題を解決するため、本発明の流動性食材の供給器具は以下の技術的手段を講じている。
即ち、本発明の流動性食材の供給器具は、流動性食材が封入された袋体を載置可能な袋体載置面を備えた支持体と、前記袋体載置面に載置した袋体から繰り出された流動性食材を受容する食材受部と、が連続して設けられていることを特徴とする。
【０００９】
なお、好ましくは、前記食材受部には、前記袋体から繰り出された流動性食材を前記食材受部内に案内するガイド部が設けられているとよい。
なお、好ましくは、前記支持体と食材受部との間には、前記袋体載置面に載置された袋体が、前記食材受部側に移動することを規制するストッパが設けられているとよい。
なお、好ましくは、前記支持体には、前記流動性食材を食材受部に繰り出す繰出部材が設けられているとよい。
【００１０】
なお、好ましくは、前記繰出部材の下面には、前記支持体との間に前記袋体を挟持することで前記流動性食材を袋内から押し出す挟持片が設けられているとよい。
なお、好ましくは、前記繰出部材は、前記支持体の長手方向に沿って滑ることで、前記袋体を扱きつつ流動性食材を繰り出すスライダを有しているとよい。
なお、好ましくは、前記繰出部材は、前記支持体の長手方向に沿って転がることで、前記袋体を扱きつつ流動性食材を繰り出すローラーを有しているとよい。
【発明の効果】
【００１１】
本発明の流動性食材の供給器具によれば、簡単な操作で袋体から流動性食材を繰り出して直接食べたり食べさせたりすることができる。
【図面の簡単な説明】
【００１２】
【図１】第１実施形態の供給器具を用いてペットへ流動性食材を給餌する使用形態を示した図である。
【図２】第１実施形態の流動性食材の供給器具を分解して示した図である。
【図３】第１実施形態の供給器具を構成する支持体を示した図である。
【図４】第１実施形態の供給器具を構成する繰出部材を示した図である。
【図５】第２実施形態の供給器具を構成する支持体を示した図である。
【発明を実施するための形態】
【００１３】
［第１実施形態］
以下、本発明の流動性食材Ｆの供給器具１の実施形態を、図面に基づき詳しく説明する。
図１に示すように、本発明の流動性食材Ｆの供給器具１は、ペースト状に加工した流動性食材Ｆをペットに給餌する際に用いられるものである。なお、本発明の流動性食材Ｆの供給器具１は、流動性食材Ｆを被介護者に食べさせる際などにも用いることができる。具体的には、上述した供給器具１は、開封した袋体Ｐから、流動性食材Ｆを所定量だけ繰り出して供給可能なものとなっている。
【００１４】
第１実施形態では、ペットに給餌する実施形態を例に挙げて、本発明の流動性食材Ｆの供給器具１を説明する。
図２は、第１実施形態の流動性食材Ｆの供給器具１を模式的に示したものである。
図２に示すように、第１実施形態の流動性食材Ｆの供給器具１は、ペットに給餌するために用いられるもの、言い換えればペットへの給餌具となっている。図２中で点線で囲まれた部分は流動性食材Ｆが収容された袋体Ｐである。この袋体Ｐは、先端部が開封済みとなっており、開口部から流動性食材Ｆの一部が既に繰り出された状態となっている。
【００１５】
以降の説明において、図３〜図６の紙面における左右方向を、供給器具１を説明する際の前後方向とする。また、図３〜図６の紙面における上下方向を、供給器具１を説明する際の右左方向とする。これらの方向は図中において適宜矢印で図示している。
具体的には、上述した供給器具１は、流動性食材Ｆが封入された袋体Ｐを載置可能な袋体載置面２を備えた支持体３と、袋体載置面２に載置した袋体Ｐから繰り出された流動性食材Ｆを受容する食材受部４と、を長手方向に連続して備えたものとなっている。支持体３の後端には、流動性食材Ｆを食材受部４に繰り出す繰出部材５が、左右方向を向く軸回りに揺動自在に連結されている。
【００１６】
また、第１実施形態の繰出部材５には、袋体Ｐを支持体３側に向かって押しつけるように挟持することで、袋内の流動性食材Ｆを押し出す挟持片６を有したものが採用されている。
以下、支持体３、食材受部４、繰出部材５、袋体Ｐ、流動性食材Ｆなどについて詳しく説明する。
【００１７】
まず、袋体Ｐに収容される流動性食材Ｆについて説明する。
流動性食材Ｆは、猫などのペットに主食や間食として与えられるものである。このような流動性食材Ｆとしては、あらゆる食材を基にペースト状に加工したものが用いられる。
なお、この流動性食材Ｆには、食材の流動性や袋体Ｐからの絞り出し性を損なわない範囲で、固形物成分が含まれていても良い。
【００１８】
なお、上述した流動性食材Ｆはペットに供給するものの一例であるが、流動性食材Ｆが人間用である場合は、タンパク質、炭水化物、脂質、無機質、ミネラルなどを、老齢者、要介護者、あるいは乳児向けに混合（調合）し成分調整して用いても良い。
図２に点線で示されるように、袋体Ｐは、内部に流動性食材Ｆを収容可能なレトルトパウチまたはパウチが用いられる。本実施形態の場合、袋体Ｐは、細長い長方形の形状とされており、その大きさは例えば前後方向の長さ（長尺方向の寸法）が50mm〜200mmであり、左右方向の幅（短尺方向の寸法）が10mm〜40mmとされている。また、１枚の袋体Ｐに収容される流動性食材Ｆの量（内容量）は、成猫に間食として与える場合であれば、10g〜20g程度とされている。
【００１９】
この袋体Ｐは、内部に収容される流動性食材Ｆの保存性を高めるために、酸素非透過性に優れる金属ラミネートフィルム、金属蒸着フィルム、あるいは酸素難透過タイプのシーラントフィルムなどを用いて袋状に形成されている。また、上述した袋体Ｐには、食材充填後の高温殺菌処理に耐えられるように、耐熱性に優れるナイロンなどのフィルムが適宜ラミネートされて用いられる。
【００２０】
上述した袋体Ｐは、例えば同じ大きさの２枚の長方形状のフィルムについて、３辺の端縁同士を貼り合わせ、袋状に形成されたものとなっている。つまり、袋体Ｐは、いずれか一辺が未シールで開口可能となっており、流動性食材Ｆを充填後に熱融着（熱圧着）などの手段で未シール部分をシールすることで食材を袋内に封入可能とされている。また、本実施形態の袋体Ｐの開口部には、シール部分を引きちぎることで袋体Ｐの開封が可能となるように切り取り線（図示略）が形成され、切り取り線には切り取りが容易となるようにＩ型、Ｖ型、Ｕ型、ベース型などのノッチ（図示略）が適宜形成されている。
【００２１】
図２や図３に示すように、支持体３は、上述した袋体Ｐを収容可能な形状に形成されている。本実施形態の場合であれば、袋体Ｐが細長い長方形の形状とされているため、支持体３は袋体Ｐより左右方向に広幅で、前後方向に沿って長尺な長方形状に形成されている。このような長尺な長方形の形状に支持体３を形成すれば、使用者が握って使用しやすくなり、ペットなどへの給餌が行いやすくなる。
【００２２】
また、支持体３の中央は、水平方向に沿うように平坦に形成された袋体載置面２とされている。そして、この袋体載置面２の左右方向の両側及び後側に位置する支持体３の縁は上方に向かって5mm〜15mm程度立ち上がるように曲げられており、中央側に載置された袋体Ｐが袋体載置面２からズレ落ちることを抑制可能とされている。また、支持体３の前側には、食材受部４が支持体３に連設した状態、言い換えれば袋体載置面２と食材受部４の中央部とが面一となるように食材受部４と支持体３とが前後に並んで形成されている。
【００２３】
さらに、袋体載置面２の後側には、袋体Ｐの載置位置の目安となる位置決め部７が形成されている。この位置決め部７は上方に向かって突出する複数のリブ７ａから形成されている。これらのリブ７ａは、いずれも左右方向に沿うように形成されており、複数のリブ７ａのいずれかに市販の袋体Ｐの後端を合わせれば、異なるメーカの袋体Ｐであっても食材受部４に流動性食材Ｆを繰り出すに適した位置に袋体Ｐを載置できるようになっている。
【００２４】
食材受部４は、上述した支持体３の前方に形成される部分であり、袋体載置面２に載置された袋体Ｐから繰り出された流動性食材Ｆを受容する部分となっている。具体的には、食材受部４は、前方に向かうにつれて上方に向かって立ち上がるように湾曲した形状に形成されており、繰り出された流動性食材Ｆをペット側に差し出すようになっており、ペットが嘗め取りやすいようになっている。また、食材受部４の表面には、飼い主から流動性食材Ｆが残っているかどうかを確認しやすいように目印１４（本実施形態の場合は猫の足跡のマーク）が形成されている。
【００２５】
また、上述した食材受部４には、袋体Ｐから繰り出された流動性食材Ｆを食材受部４内に案内するガイド部８が設けられている。ガイド部８は、袋体Ｐにおいて開口部が形成された側（本実施形態の場合であれば右側）に設けられている。具体的には、ガイド部８は、上述した支持体３の端部の立ち上がった箇所と同様に、上方に向かって立ち上がるように形成された部分である。ただ、このガイド部８は、支持体３の端部の立ち上がった箇所よりも上方に大きくせり出しており、予想に反して袋体Ｐから大量の流動性食材Ｆが繰り出された場合であっても、流動性食材Ｆがこぼれ落ちることがないようになっている。
【００２６】
また、ガイド部８は、支持体３の前端側と食材受部４との両者に跨るように形成されており、袋体Ｐから繰り出された流動性食材Ｆを食材受部４にスムーズに案内できるようになっている。
さらに、上述した支持体３と食材受部４との間には、袋体載置面２に載置された袋体Ｐが、食材受部４側に移動することを規制するストッパ９が設けられている。具体的には、このストッパ９は、袋体載置面２から上方に向かって突出する幅狭な板状の部材であり、袋体載置面２の左側のみ（袋体Ｐの開口部が無い側）に形成されている。このストッパ９は、袋体Ｐの前端に当接することで、袋体Ｐが前方に向かって移動することを規制する構成となっている。
【００２７】
図４に示すように、上述した支持体３には、流動性食材Ｆを食材受部４に繰り出す繰出部材５が設けられている。この繰出部材５には、その下面に挟持片６（詳細後述）を設けた上で、挟持片６で袋体Ｐを支持体３側に押しつけることで袋体Ｐから流動性食材Ｆを押し出す（繰り出す）ものや、挟持片６に替えてローラー（例えば、袋体Ｐを支持体３との間で挟んで支持体３の長手方向に沿って移動可能なローラー）を転がしたり、スライダを滑らしたりすることで袋体Ｐを扱きつつ流動性食材Ｆを繰り出すものなど、様々な態様が考えられる。以降の第１実施形態では、袋体Ｐを支持体３側に押しつける（挟み込む）挟持片６を備えた繰出部材５を例に挙げる。
【００２８】
すなわち、第１実施形態の供給器具１に設けられる繰出部材５は、支持体３との間に袋体Ｐを挟持して揺動する挟持片６を有するものとなっている。具体的には、第１実施形態の繰出部材５は、支持体３の後端に対して左右方向を向く軸回りに揺動自在に連結されており、また繰出部材５の下面中央側には、袋内に収容された流動性食材Ｆを押し出す挟持片６が設けられている。それゆえ、後端を中心に繰出部材５の前端を支持体３に近づける方向に揺動させると、繰出部材５の下面に設けられた挟持片６が支持体３に押しつけられて、袋体Ｐの内部に収容された流動性食材Ｆが押し出される。このとき、挟持片６は後側から前側に向かって徐々に袋体Ｐを押動していくため、収容された流動性食材Ｆが残ることなく押し出される。
【００２９】
詳しくは、図４に示されるように、繰出部材５は、支持体３よりやや短い長さを備えた長尺な長方形の板部材であり、前後左右の縁は下方に向かって突出するように湾曲している。繰出部材５の後端側は後方に向かって突出しており、その先端には揺動突起１０が左右方向の外方に突出するように形成されている。
一方、上述した支持体３の後端側には、繰出部材５の揺動突起１０が嵌合する嵌合穴１１が形成されており、繰出部材５の揺動突起１０を支持体３の嵌合穴１１に嵌合させることで、繰出部材５が支持体３に対して揺動可能となる。
【００３０】
さて、繰出部材５の下面に設けられた挟持片６は、繰出部材５と同じ材料を用いて、繰出部材５の下面中央に一体に形成されている。この挟持片６は角状の外観を備えた部材である。具体的には、本実施形態の挟持片６は、繰出部材５の下面中央に、繰出部材５と同じ材料で形成された板状の壁部材１２を左右方向及び前後方向に複数条に亘って形成し、これらの壁部材１２を交差状に組み合わせたものとして形成されている。このような壁部材１２を交差するように組み合わせて挟持片６を形成すれば、壁部材１２が設けられていない箇所の材料費を低減することができ、製造コストを低く抑えることが可能となる。
【００３１】
また、挟持片６は、その下面が繰出部材５の下端よりも下方に向かって突出する程度の厚みに形成されており、繰出部材５を支持体３側に近づける方向に揺動させると、挟持片６の下面が袋体Ｐに当接して袋体Ｐを押しつぶし、袋体Ｐから流動性食材Ｆが押し出される構造となっている。
また、繰出部材５を支持体３側に向かってさらに近づける方向に揺動させると、挟持片６の下面により押される箇所が袋体Ｐの後端から前端に移動し、袋体Ｐが後方から前方に向かって扱かれる為、袋内に収容された流動性食材Ｆを余すことなく食材受部４側に繰り出すことが可能となる。
【００３２】
さらに、挟持片６の前部には、袋体Ｐの内部の流動性食材Ｆを残さずすべて押し出すための押し詰め片１３が形成されている。この押し詰め片１３は、下方から見た場合に「猫の足跡形状」に形成された部分であり、壁部材１２を組み合わせて形成される挟持片６に比べて広幅で丸みを帯びた中実の部材として形成される。押し詰め片１３は、挟持片６よりも強い弾性を備えた弾性部材であり、挟持片６に比べて袋体Ｐを強く押しつけることができるようになっている。そのため、挟持片６に続いて押し詰め片１３で袋体Ｐを押圧すれば、袋体Ｐをさらに強い力で支持体３側に押し付けることができ、袋体Ｐの内部の流動性食材Ｆを残さず確実に食材受部４側に繰り出すことが可能となっている。
【００３３】
次に、上述した流動性食材Ｆの供給器具１を用いて流動性食材Ｆをペットに給餌する方法について説明する。供給器具１を用いて流動性食材Ｆをペットに給餌する場合は、まずノッチを起点に切り取り線に沿って袋体Ｐの一端を引きちぎり、袋体Ｐを開封しておく。
次に、このようにして開封された袋体Ｐを、支持体３の袋体載置面２に載置する。このとき、位置決め部７のリブのいずれかに袋体Ｐの後端を位置合わせして、袋体Ｐを袋体載置面２に載置する。このように位置決め部７に合わせて袋体Ｐを載置すれば、袋体Ｐの開口部の位置を食材受部４の近くに位置させることが可能となり、食材受部４に流動性食材Ｆを正確に繰り出すことが可能となる。
【００３４】
このようにして袋体Ｐを袋体載置面２に載置したら、後端側を中心に繰出部材５の前端側を支持体３側に近づけるように揺動させる。このようにすれば、繰出部材５の挟持片６により袋体Ｐが支持体３側に押しつけられて、袋体Ｐに収容された流動性食材Ｆが袋外に繰り出される。また、繰出部材５を支持体３側にさらに近づけるように揺動させると、挟持片６により押圧される箇所が袋体Ｐの後方から前方に移動し、袋体Ｐを扱くように流動性食材Ｆが袋外に繰り出される。
【００３５】
そして、袋内に残った最後の流動性食材Ｆについては、挟持片６の前方に位置する押し詰め片１３が、挟持片６よりも強く袋体Ｐを支持体３側に押しつけるため、これらの食材を余すことなく確実に食材受部４側に繰り出すことが可能となる。
このように繰り出された流動性食材Ｆは、ガイド部８に沿って、溢れることなく袋内から食材受部４（スプーン部）に確実に移動し、上方に向かって湾曲した食材受部４の上に押し出される。このような湾曲した食材受部４の上に押し出されれば、猫などのペットが容易に嘗め取ることができる。
【００３６】
やがて、繰り出された流動性食材Ｆをペットがすべて嘗め取れば、食材受部４の上に印刷された目印１４が使用者に視認可能となり、流動性食材Ｆが食材受部４に残っていないことを認識できるようになる。このような場合は、繰出部材５を支持体３により近づける方向に押し込むか、袋体Ｐを新たなものに交換した上で同様な動作を行うことで、ペットが満足するまで流動性食材Ｆを与え続けることが可能となる。
【００３７】
最後に、上述した第１実施形態の流動性食材Ｆの供給器具１が有する効果について説明する。第１実施形態の供給器具１を用いれば、猫などのペットに対して、ペットが好む流動性食材Ｆを簡単に与えることが可能となる。すなわち、ペットに給餌しようとする使用者は、開封した袋体Ｐを支持体３の袋体載置面２に載置した上で、繰出部材５を支持体３に近づけるように揺動させる。そうすると、袋体Ｐから流動性食材Ｆが食材受部４に繰り出され、使用者は自ら手を汚すことなく、また食器などを別に用意することなく、繰出部材５を揺動させるという簡単な操作を行うだけで、流動性食材Ｆを食材受部４に繰り出してペットに給餌させることが可能となる。
【００３８】
それゆえ、簡単な操作で袋体から流動性食材を繰り出して直接食べたり食べさせたりすることが可能となる。
［第２実施形態］
次に、第２実施形態の流動性食材Ｆの供給器具１を、図面を用いて説明する。
第２実施形態の流動性食材Ｆの供給器具１は、袋体載置面２に設けられた位置決め部７が、複数のリブ７ａではなく、複数のスリット７ｂで形成されたものとなっている。
【００３９】
すなわち、図６に示すように、第２実施形態の供給器具１の袋体載置面２には、後方に向かって傾斜した直線状のスリット７ｂが左右方向に沿って形成されている。そして、袋体Ｐを載置する場合は、袋体Ｐの後端をスリット７ｂに挿し込むようにして、袋体Ｐを袋体載置面２に載置する。このようにすれば、上述したストッパ９だけでなく、スリット７ｂによっても、袋体Ｐの前後移動が規制されて、袋体Ｐをより強固に袋体載置面２に載置することが可能となる。
【００４０】
なお、上述した第２実施形態のスリット７ｂは直線状であったが、スリット７ｂの形状は円弧状に湾曲したアーチ状でも良い。
第２実施形態における上述した構成以外の点については、第１実施形態と変わることがない。それゆえ、上述した構成以外の点については、詳細な説明を省略する。
なお、今回開示された実施形態はすべての点で例示であって制限的なものではないと考えられるべきである。特に、今回開示された実施形態において、明示的に開示されていない事項、例えば、構成物の寸法、重量、体積などは、当業者が通常実施する範囲を逸脱するものではなく、通常の当業者であれば、容易に想定することが可能な値を採用している。
【００４１】
例えば、上述した実施形態では、ペットとして猫を挙げているが、本発明の供給器具１で給餌されるペットは猫に限らない。例えば、犬、モルモット、フェレットなどのようなペットに給餌を行うのに、本発明の供給器具１を用いても良い。また、ペット以外の牛、馬、羊、豚などの家畜に、本発明の供給器具１を用いても良い。
また、本発明の供給器具１は、乳幼児に離乳食を食べさせる、あるいは乳幼児が離乳食を食べる訓練をする用途に用いても良い。また、手先を満足に動かせないような被介護者に対して、介護者が流動性食材Ｆを食べさせる、あるいは被介護者自らが流動性食材Ｆを食べる用途で用いても良い。上述した本発明の供給器具１であれば、簡単な操作で袋体Ｐから流動性食材Ｆを繰り出せるので、手が麻痺しているような人（手先が不自由な人）でも、自らの手で食事を摂取することが可能となるからである。
【００４２】
さらに、上述した実施形態では、挟持片６は、繰出部材５と同じ材料を用いて、繰出部材５の下面中央に一体物として形成されていた。しかし、例えば、混色成形などを用いて、ＰＰ製の繰出部材５にシリコンゴム製の挟持片６を組み合わせて、挟持片６を形成しても良い。また、繰出部材５と挟持片６とを異なる材料で形成する場合には、挟持片６を繰出部材５に着脱自在に取り付ける構成としても良い。
【符号の説明】
【００４３】
１  供給器具
２  袋体載置面
３  支持体
４  食材受部
５  繰出部材
６  挟持片
７  位置決め部
７ａ  リブ
７ｂ  スリット
８  ガイド部
９  ストッパ
１０  揺動突起
１１  嵌合穴
１２  壁部材
１３  押し詰め片
１４  目印
Ｆ  流動性食材
Ｐ  袋体
【図１】
2019122383.tif 000003
【図２】
2019122383.tif 000004
【図３】
2019122383.tif 000005
【図４】
2019122383.tif 000006
【図５】
2019122383.tif 000007